(57)【要約】【課題】溶接部の影響を受けることなく積み重ねを安定させて行うことができる仮設足場用布板、及び複数の仮設足場用布板を、溶接部の影響を受けることなく安定させて積み重ねことができる仮設足場用布板の積み重ね構造を提供すること。【解決手段】仮設足場用布板１０の上面には、上方への盛り上がり量を有する溶接部３０が設けられているとともに、下面には、下方への突出量を有する突出部３１〜３４が設けられ、突出部３１〜３４の水平方向における位置は溶接部３０の水平方向における位置からずれているとともに、突出部３１〜３４の突出量は溶接部３０の盛り上がり量よりも大きい。下から２段目以降の布板１０の上に布板１０を積み重ねる場合には、突出部３１〜３４を下向きとした下段の布板１０の上に、突出部３１〜３４を下向きとした上段の布板１０を積み重ねる。【選択図】図９
2008308862.tif 000002
【特許請求の範囲】
【請求項１】
上面に上方への盛り上がり量を有する溶接部が設けられている仮設足場用布板であって、
下面に下方への突出量を有する突出部が設けられており、この突出部の水平方向における位置が前記溶接部の水平方向における位置からずれているとともに、前記突出部の突出量が前記溶接部の盛り上がり量よりも大きくなっていることを特徴とする仮設足場用布板。
【請求項２】
請求項１に記載の仮設足場用布板が上下に複数個積み重ねられる仮設足場用布板の積み重ね構造であって、
前記突出部を下向きとした下段の仮設足場用布板の上に、前記突出部を下向きとした上段の仮設足場用布板が積み重ねられていることを特徴とする仮設足場用布板の積み重ね構造。
【請求項３】
請求項１に記載の仮設足場用布板において、前記突出部は、仮設足場用布板構成部材を押し出し加工することによって形成されていることを特徴とする仮設足場用布板。
【請求項４】
請求項１又は３に記載の仮設足場用布板において、前記突出部は、仮設足場用布板長手方向と仮設足場用布板幅方向の両方について、それぞれ複数個設けられていることを特徴とする仮設足場用布板。
【請求項５】
上面に上方への盛り上がり量を有する溶接部が設けられている仮設足場用布板であって、
下面に下方への突出量を有する突出部が設けられており、この突出部が仮設足場用布板長手方向に複数個設けられることによって形成された突出部列が、仮設足場用布板幅方向の中心線に対して対称となった位置において、２列設けられ、
一方の突出部列におけるそれぞれの突出部の位置と他方の突出部列におけるそれぞれの突出部の位置とが、仮設足場用布板長手方向にずれていることを特徴とする仮設足場用布板。
【請求項６】
請求項５に記載の仮設足場用布板が上下に複数個積み重ねられる仮設足場用布板の積み重ね構造であって、
前記突出部を上向きとした下段の仮設足場用布板の上に、前記突出部を下向きとした上段の仮設足場用布板が積み重ねられていることを特徴とする仮設足場用布板の積み重ね構造。
【請求項７】
上面に上方への盛り上がり量を有する溶接部が設けられている仮設足場用布板であって、
下面に下方への突出量を有する突出部が設けられており、この突出部の水平方向における位置が前記溶接部の水平方向における位置からずれているとともに、前記突出部の突出量が前記溶接部の盛り上がり量よりも大きくなっており、
前記突出部が仮設足場用布板長手方向に複数個設けられることによって形成された突出部列が、仮設足場用布板幅方向の中心線に対して対称となった位置において、２列設けられ、
一方の突出部列におけるそれぞれの突出部の位置と他方の突出部列におけるそれぞれの突出部の位置とが、仮設足場用布板長手方向にずれていることを特徴とする仮設足場用布板。
【請求項８】
請求項７に記載の仮設足場用布板が上下に複数個積み重ねられる仮設足場用布板の積み重ね構造であって、
前記突出部を上向きとした最下段の仮設足場用布板の上に、前記突出部を下向きとした下から２段目の仮設足場用布板が積み重ねられ、
前記下から２段目の仮設足場用布板の上に、前記突出部を下向きとした下から３段目の仮設足場用布板が積み重ねられていることを特徴とする仮設足場用布板の積み重ね構造。
【請求項９】
請求項５又は７に記載の仮設足場用布板において、前記２列の突出部列におけるそれぞれの前記突出部は、仮設足場用布板幅方向の中心線と仮設足場用布板長手方向の中心線とが交差する仮設足場用布板中央位置に対して点対称となった位置に設けられていることを特徴とする仮設足場用布板。
【発明の詳細な説明】
【技術分野】
【０００１】
本発明は、例えば、建築作業現場、土木作業現場、解体作業現場等の各種作業現場で用いられる仮設足場用布板、及びこの仮設足場用布板を上下に積み重ねる仮設足場用布板積み重ね構造に関する。
【背景技術】
【０００２】
例えば、建築作業現場、土木作業現場、解体作業現場等の各種作業現場で構築される仮設足場は、各種の構成要素を組み合わせることにより構成され、この構成要素の一つとして、作業者が上に乗って歩行したり工具等を載せるための仮設足場用布板があり、このような仮設足場用布板は、例えば、下記の特許文献１に示されている。
【０００３】
仮設足場用布板は複数の構成部材を組み合わせることによって構成され、これらの仮設足場用布板構成部材同士を結合するための手段として、溶接が用いられる場合がある。
【０００４】
また、仮設足場用布板は、上記仮設足場を構築するために形状及び構造が同じになったものが多数用意され、全体が細長形状となっていて厚みがあるこれらの仮設足場用布板は、各種作業現場へ搬送される際や各種作業現場から搬出される際に、輸送効率や取り扱い性を良好等とするために、厚さ方向を上下方向として上下に積み重ねられる。
【特許文献１】特開２００３−３６６４
【発明の開示】
【発明が解決しようとする課題】
【０００５】
上述した仮設足場用布板構成部材同士を結合するために溶接が用いられ、この溶接によって生ずる溶接部が、仮設足場用布板の上面において上方への盛り上がり量を有するものとなる場合には、複数の仮設足場用布板を各種作業現場へ搬送するためや搬出するために積み重ねると、溶接部によって上下の仮設足場用布板同士の間に隙間ができるため、この積み重ねを安定させて行うことができないことになる。
【０００６】
本発明の目的は、溶接部の影響を受けることなく積み重ねを安定させて行うことができる仮設足場用布板、及び複数の仮設足場用布板を、溶接部の影響を受けることなく安定させて積み重ねことができる仮設足場用布板の積み重ね構造を提供するところにある。
【課題を解決するための手段】
【０００７】
本発明に係る仮設足場用布板は、上面に上方への盛り上がり量を有する溶接部が設けられている仮設足場用布板であって、下面に下方への突出量を有する突出部が設けられており、この突出部の水平方向における位置が前記溶接部の水平方向における位置からずれているとともに、前記突出部の突出量が前記溶接部の盛り上がり量よりも大きくなっていることを特徴とするものである。
【０００８】
この仮設足場用布板では、下面に下方への突出量を有して設けられている突出部の水平方向における位置が、上面に上方への盛り上がり量を有して設けられている溶接部の水平方向における位置からずれているとともに、突出部の突出量が溶接部の盛り上がり量よりも大きくなっているため、突出部を下向きとした下段の仮設足場用布板の上に、突出部を下向きとした上段の仮設足場用布板を積み重ねることにより、少なくともこれら２個の仮設足場用布板を、溶接部の影響を受けることなく、安定させて積み重ねことができる。
【０００９】
このため、本発明に係る仮設足場用布板の積み重ね構造は、上述の本発明に係る仮設足場用布板が上下に複数個積み重ねられる仮設足場用布板の積み重ね構造であって、前記突出部を下向きとした下段の仮設足場用布板の上に、前記突出部を下向きとした上段の仮設足場用布板が積み重ねられることを特徴とするものである。
【００１０】
以上の本発明において、前記突出部は、任意な形態によって仮設足場用布板に設けることができ、例えば、仮設足場用布板構成部材を押し出し加工することにより、突出部を仮設足場用布板に設けてもよく、あるいは、仮設足場用布板構成部材とは別に用意した部材を仮設足場用布板構成部材に溶接や止着具等で結合することにより、突出部を仮設足場用布板に設けてもよい。
【００１１】
しかし、前者によると、仮設足場用布板構成部材とは別の部材を突出部のために用意する必要がないため、仮設足場用布板を少ない部材点数で生産できて、製造コストを安価に抑えることができる。
【００１２】
また、仮設足場用布板に設ける突出部の水平方向における位置は、前述したように、溶接部の水平方向における位置からずれていなければならないが、この条件を満たせば突出部を設ける水平方向の位置は、任意の位置でよく、また、突出部の個数も、任意である。
【００１３】
その一例は、突出部を、仮設足場用布板長手方向と仮設足場用布板幅方向の両方について、それぞれ複数個設けることである。これによると、複数の仮設足場用布板を上下に積み重ねた際に、上段の仮設足場用布板を下段の仮設足場用布板に対して一層安定させることができる。
【００１４】
また、本発明に係る仮設足場用布板は、上面に上方への盛り上がり量を有する溶接部が設けられている仮設足場用布板であって、下面に下方への突出量を有する突出部が設けられており、この突出部が仮設足場用布板長手方向に複数個設けられることによって形成された突出部列が、仮設足場用布板幅方向の中心線に対して対称となった位置において、２列設けられ、一方の突出部列におけるそれぞれの突出部の位置と他方の突出部列におけるそれぞれの突出部の位置とが、仮設足場用布板長手方向にずれていることを特徴とするものである。
【００１５】
この仮設足場用布板では、突出部が仮設足場用布板長手方向に複数個設けられることによって形成された突出部列が、仮設足場用布板幅方向の中心線に対して対称となった位置において、２列設けられ、一方の突出部列におけるそれぞれの突出部の位置と他方の突出部列におけるそれぞれの突出部の位置とが、仮設足場用布板長手方向にずれているため、突出部を上向きとした下段の仮設足場用布板の上に、突出部を下向きとした上段の仮設足場用布板を積み重ねることにより、少なくともこれら２個の仮設足場用布板を、溶接部の影響を受けることなく、かつそれぞれの突出部の影響を受けることなく、安定させて積み重ねことができる。
【００１６】
このため、本発明に係る仮設足場用布板の積み重ね構造は、上述の本発明に係る仮設足場用布板が上下に複数個積み重ねられる仮設足場用布板の積み重ね構造であって、前記突出部を上向きとした下段の仮設足場用布板の上に、前記突出部を下向きとした上段の仮設足場用布板が積み重ねられることを特徴とするものである。
【００１７】
さらに、本発明に係る仮設足場用布板は、上面に上方への盛り上がり量を有する溶接部が設けられている仮設足場用布板であって、下面に下方への突出量を有する突出部が設けられており、この突出部の水平方向における位置が前記溶接部の水平方向における位置からずれているとともに、前記突出部の突出量が前記溶接部の盛り上がり量よりも大きくなっており、前記突出部が仮設足場用布板長手方向に複数個設けられることによって形成された突出部列が、仮設足場用布板幅方向の中心線に対して対称となった位置において、２列設けられ、一方の突出部列におけるそれぞれの突出部の位置と他方の突出部列におけるそれぞれの突出部の位置とが、仮設足場用布板長手方向にずれていることを特徴とするものである。
【００１８】
この仮設足場用布板では、下面に下方への突出量を有して設けられている突出部の水平方向における位置が、上面に上方への盛り上がり量を有して設けられている溶接部の水平方向における位置からずれているとともに、突出部の突出量が溶接部の盛り上がり量よりも大きくなっており、また、突出部が仮設足場用布板長手方向に複数個設けられることによって形成された突出部列が、仮設足場用布板幅方向の中心線に対して対称となった位置において、２列設けられ、一方の突出部列におけるそれぞれの突出部の位置と他方の突出部列におけるそれぞれの突出部の位置とが、仮設足場用布板長手方向にずれているため、突出部を上向きとした最下段の仮設足場用布板の上に、突出部を下向きとした下から２段目の仮設足場用布板を積み重ね、下から２段目の仮設足場用布板の上に、突出部を下向きとした下から３段目の仮設足場用布板が積み重ねることにより、少なくともこれら３個の仮設足場用布板を、溶接部の影響を受けることなく、かつそれぞれの突出部の影響を受けることなく、安定させて積み重ねことができる。
【００１９】
このため、本発明に係る仮設足場用布板の積み重ね構造は、上述の本発明に係る仮設足場用布板が上下に複数個積み重ねられる仮設足場用布板の積み重ね構造であって、前記突出部を上向きとした最下段の仮設足場用布板の上に、前記突出部を下向きとした下から２段目の仮設足場用布板が積み重ねられ、前記下から２段目の前記仮設足場用布板の上に、前記突出部を下向きとした下から３段目の仮設足場用布板が積み重ねられていることを特徴とするものである。
【００２０】
以上のように、仮設足場用布板幅方向の中心線に対して対称となった位置において、前記突出部列が２列設けられている仮設足場用布板においては、一方の突出部列におけるそれぞれの突出部の位置と他方の突出部列におけるそれぞれの突出部の位置とが、仮設足場用布板長手方向にずれていなければならないが、この条件を満たせば、それぞれの突出部の位置を任意な位置とすることができる。
【００２１】
その一例は、２列の突出部列におけるそれぞれの突出部を、仮設足場用布板幅方向の中心線と仮設足場用布板長手方向の中心線とが交差する仮設足場用布板中央位置に対して点対称となった位置に設けることである。
【００２２】
これによると、仮設足場用布板長手方向を左右方向とした場合に、それぞれの突出部が形成されている仮設足場用布板構成部材の左右の向きを逆にしても、それぞれの突出部の位置は変化しないため、突出部を上向きとした前述の下段又は最下段の仮設足場用布板の上に、突出部を下向きとした前述の上段又は下から２段目の仮設足場用布板を積み重ねる際に、この積み重ねを、下段又は最下段の仮設足場用布板の長手方向の向きと上段又は下から２段目の仮設足場用布板の長手方向の向きとを同じにしても行なえ、また逆にして行え、このため、これらの仮設足場用布板の積み重ね作業を容易に行える。
【００２３】
このように、２列の突出部列におけるそれぞれの突出部を、仮設足場用布板幅方向の中心線と仮設足場用布板長手方向の中心線とが交差する仮設足場用布板中央位置に対して点対称となった位置に設けることは、それぞれの突出部が形成されている仮設足場用布板構成部材が１個の部品によって形成される場合はもちろんのこと、その仮設足場用布板構成部材が複数個の部品によって形成される場合にも適用することができ、仮設足場用布板構成部材が複数個の部品によって形成される場合には、これらの仮設足場用布板構成部材同士が直接結合されてもよく、他の部品を介して間接的に結合されてもよく、間接的に結合される場合には、仮設足場用布板構成部材同士の間に隙間があってもよく、隙間がなくてもよい。
【００２４】
また、以上説明した本発明において、仮設足場用布板の上面に設けられる溶接部は、スポット溶接部でもよく、一定長さを有している溶接ビード部でもよい。
【００２５】
また、本発明に係る仮設足場用布板は、任意な作業を行うために構築される仮設足場に用いることができ、この作業は、建築作業でもよく、土木作業でもよく、解体作業でもよく、塗装作業でもよく、補修作業等でもよい。
【発明の効果】
【００２６】
本発明によると、複数個の仮設足場用布板を、溶接部の影響を受けることなく安定させて積み重ねることができるという効果を得られる。
【発明を実施するための最良の形態】
【００２７】
以下に本発明を実施するための形態を図面に基づいて説明する。初めに、本実施形態に係る仮設足場用布板が用いられて構築される仮設足場について説明する。
【００２８】
図１は、この仮設足場１を示し、この仮設足場１は、建物の建築現場で構築されたものであって、並設された複数の建枠２と、これらの建枠２同士の間に水平に架設された布板１０と、建枠２同士の間に斜めに掛け渡されたブレース３と、建枠２同士の間に水平に掛け渡された手摺り４とを含んで構成されている。手摺り４は、仮設足場１における建物とは反対側の背面側に配設されており、左右方向を長手方向とする幅木５は、この背面側となっている布板１０の側端部に、布板１０の長さ方向に沿って取り付けられる。これにより、布板１０の上に乗って作業を行う作業者や布板１０の上に載せられている工具類等が仮設足場１の背面側から落下することが、幅木５によって防止される。
【００２９】
布板１０は、本実施形態に係る仮設足場用布板である。図２は、左右方向が長手方向となっているこの布板１０の平面図であり、図３は、布板１０の裏面図である。これらの図２と図３において、上記長手方向と直交する水平方向である布板１０の幅方向は、上下方向となって示されている。また、図４は、布板１０の一部省略の正面図である。
【００３０】
これらの図から分かるように、布板１０は、左右方向に長くなっていて上下の厚さを有している本体部１１と、この本体部１１の長手方向両端から突設されたフック部１２とからなり、図１で示されているように、隣接している２個の建枠２の間に布板１０を架設するためにこれらの建枠２の水平材２Ａに引っ掛けられるフック部１２は、図２及び図３で示されているように、布板１０の長手方向両端に設けられているとともに、布板１０の幅方向両端にも設けられ、このため、フック部１２は、１個の布板１０について４個設けられている。
【００３１】
なお、図２及び図３に示されているように、布板１０の四隅に設けられているフック部１２のうち、一方の対角線位置に配置された２個のフック部１２Ａの位置は、他方の対角線位置に配置された２個のフック部１２Ｂに対し、布板１０の幅方向外側へ偏移した位置となっている。これは、仮設足場１を構築するために複数個の布板１０をこれらの布板１０の長手方向に並設したときに、互いに隣接する２個の布板１０のうち、一方の布板１０のフック部１０Ｂを挿入することができる隙間Ｓ１を、他方の布板１０のフック部１０Ａの脇に設けることができるようにするためである。
【００３２】
上述した本体部１１は、図２に示されているとおり、布板１０の幅方向に並設された２個の主部材１３，１４と、これらの主部材１３，１４における布板１０の長手方向両側の端部に配設された端部部材１５と、図３に示されているとおり、布板１０の幅方向の長さを有していて、主部材１３，１４に横断架設された横架部材１６とからなる。図４に示されているように、板金の折り曲げ品となっているそれぞれの端部部材１５の上面部１５Ａと下面部１５Ｂは、板金の折り曲げ品となっている２個の主部材１３，１４に溶接で接合されているとともに、図３で示されているそれぞれの板金製の横架部材１６も、２個の主部材１３，１４に溶接で接合されている。
【００３３】
これにより、端部部材１５及び横架部材１６と共に布板１０の構成部材となっている２個の主部材１３，１４同士は、図２及び図３で示されている布板１０の幅方向の隙間Ｓ２を開けて端部部材１５と横架部材１６を介して結合されている。
【００３４】
図８は、図２のＳ８−Ｓ８線断面図である。この図８で示されているように、それぞれの主部材１３，１４は、上面部１３Ａ，１４Ａと、これらの上面部１３Ａ，１４Ａにおける布板１０の幅方向両端部に上下方向の高さ寸法をもって形成されているとともに、布板１０の幅方向内側に開口しているチャンネル形状部１３Ｂ，１３Ｃ，１４Ｂ，１４Ｃとからなる。それぞれの上面部１３Ａ，１４Ａには、布板１０の長手方向に延びる３本の溝部１７と、これらの溝部１７の間に形成された上向きの凸部１８とが設けられ、布板１０の上に乗る作業者の滑り止め用となっているこの凸部１８は、図２に示されているように、幾何学的模様をなして多数設けられている。
【００３５】
また、図２に示されているとおり、それぞれの端部部材１５の上面部１５Ａにも、布板１０の幅方向の長さを有している３個の滑り止め用の凸部１９が上向きに形成されている。
【００３６】
また、図４から分かるように、前述したそれぞれフック部１２は、主部材１３のチャンネル形状部１３Ｂの側面部１３Ｄ，１４Ｄ（図８を参照）にリベット等の止着具２５で止着された厚板状のフック部材２０と、このフック部材２０に第１ピン２１と第２ピン２２で抜け止めされて取り付けられた厚板状のロック部材２３とで構成されている。フック部材２０には、前述した図１の建枠２の水平材２Ａが挿入される湾曲凹部２０Ａが下向きに形成され、ロック部材２３の外側の側面部には、フック部１２がこの水平材２Ａに引っ掛けられたときに、水平材２Ａの側部と対面する湾曲凹部２３Ａが形成されている。
【００３７】
図５〜図７に示されているように、ロック部材２３には第１及び第２ピン２１，２２が挿入された長孔２４が形成され、全体的に上下方向に長くなっているこの長孔２４により、ロック部材２３はフック部材２０に対して遊動可能となっている。そして、長孔２４には、長孔２４の上端において第１膨出部２４Ａが、長孔２４の上下中間部において第２及び第３膨出部２４Ｂ，２４Ｃが、長孔２４の下端において第４及び第５膨出部２４Ｄ，２４Ｅがそれぞれ形成され、第２膨出部２４Ｂと第３膨出部２４Ｃは、布板１０の長手方向に分かれて形成されているとともに、第４膨出部２４Ｄと第５膨出部２４Ｅも、布板１０の長手方向に分かれて形成されている。
【００３８】
図５は、フック部１２を建枠２の水平材２Ａに引っ掛けるために、布板１０を水平材２Ａの上から落とし込むときのロック部材２３の位置を示している。このときには、第１ピン２１は第３膨出部２４Ｃに、第２ピン２２は第４膨出部２４Ｄにそれぞれ係合している。このため、フック部材２０の湾曲凹部２０Ａの全体又は略全体は開口している。これにより、フック部１２を建枠２の水平材２Ａに引っ掛けるために、布板１０を水平材２Ａの上から落とし込むことができる。
【００３９】
図６は、フック部１２が水平材２Ａに引っ掛けられたときのロック部材２３の位置を示している。このときには、第１ピン２１は第１膨出部２４Ａに、第２ピン２２は第２膨出部２４Ｂにそれぞれ係合している。このため、フック部材２０の湾曲凹部２０Ａの一部は、ロック部材２３の下部２３Ｂによって塞がれている。したがって、フック部１２は水平材２Ａにロックされ、水平材２Ａからの抜け出しが防止される。
【００４０】
なお、図５のときには、ロック部材２３の上部２３Ｃがフック部材２０の湾曲凹部２０Ａの内部へ突出しているため、布板１０を水平材２Ａの上から落とし込むことによってこの上部２３Ｃが水平材２Ａで上側へ押されることになり、したがって、ロック部材２３の位置は、図５の位置から図６の位置へ自動的に変更される。
【００４１】
図７は、多数の布板１０を上下に積み重ねされるときにおけるロック部材２３の位置を示している。このときには、第１ピン２１は第３膨出部２４Ｃに、第２ピン２２は第５膨出部２４Ｅにそれぞれ係合している。これにより、ロック部材２３の布板１０からの下方への突出量は小さくなり、後述するように、多数の布板１０を上下に積み重ねされるときに、ロック部材２３が邪魔にならないようになっている。
【００４２】
なお、前述したように、布板１０の四隅に設けられているフック部１２のうち、一方の対角線位置に配置された２個のフック部１２Ａの位置は、他方の対角線位置に配置された２個のフック部１２Ｂに対し、布板１０の幅方向外側へ偏移した位置となっており、このため、フック部１２Ｂは、フック部１２Ａに対して布板１０の幅方向内側へ偏移しているが、このようにフック部１２Ｂがフック部１２Ａに対して布板１０の幅方向内側へ偏移していることは、フック部１２Ｂの構成部材となっているフック部材２０に、布板１０の幅方向内側への折り曲げ段差部を形成することによって行われている。
【００４３】
そして、フック部１２Ａのロック部材２３は、フック部材２０における布板１０の幅方向外側の面に配置され、フック部１２Ｂのロック部材２３は、フック部材２０における布板１０の幅方向内側の面に配置されている。
【００４４】
以上において、前述した主部材１３，１４と端部部材１５は、溶接によって結合されており、図２及び図４には、この溶接によって布板１０の上面に生じた溶接部３０が示されており、これらの溶接部３０は、図４に示されているように、上方への盛り上がり量を有している。
【００４５】
また、布板１０の下面には、図３及び図４に示されているように、下方への突出量を有する突出部３１〜３４が形成されている。これらの突出部３１〜３４のうち、突出部３１，３２は、図３で示されているとおり、主部材１３のチャンネル形状部１３Ｂの下面部１３Ｅ（図８も参照）に形成され、突出部３３，３４は、主部材１４のチャンネル形状部１４Ｃの下面部１４Ｅ（図８も参照）に形成されている。これらの突出部３１〜３４は、下面部１３Ｅ，１４Ｅを押し出し加工することによって設けられたものであって、下向きの台形状となっている。
【００４６】
これらの突出部３１〜３４の下向きの突出量は同じであり、また、これらの突出部３１〜３４の下向きの突出量は、布板１０の上面に形成されている溶接部３０の上方への盛り上がり量よりも大きくなっている。そして、突出部３１〜３４の下向きの突出量は、フック部１２のロック部材２３が図７の位置にあるときのこのロック部材２３の布板１０からの下方への突出量よりも大きくなっている。
【００４７】
また、図４で分かるように、突出部３１〜３４についての布板１０の長手方向における位置は、溶接部３０についての布板１０の長手方向における位置からずれている。言い換えると、突出部３１〜３４の水平方向における位置は、溶接部３０の水平方向における位置からずれている。
【００４８】
また、図３に示されているように、突出部３１と３２は布板１０の長手方向に形成され、突出部３３と３４も布板１０の長手方向に形成され、突出部３１と３３は布板１０の幅方向に形成され、突出部３２と３４も布板１０の幅方向に形成されている。このため、本実施形態では、布板１０の長手方向と幅方向との両方において、突出部３１〜３４のうちの２個ずつが設けられている。
【００４９】
さらに、突出部３１，３２は、主部材１３のチャンネル形状部１３Ｂの下面部１３Ｅに形成されているため、これらの突出部３１，３２は、布板１０の幅方向の一方の端部に形成され、また、突出部３３，３４は、主部材１４のチャンネル形状部１４Ｃの下面部１４Ｅに形成されているため、これらの突出部３３，３４は、布板１０の幅方向の他方の端部に形成されている。したがって、布板１０の長手方向に配置された突出部３１と３２によって第１番目の突出部列が形成され、また、布板１０の長手方向に配置された突出部３３と３４によって第２番目の突出部列が形成されているとともに、これらの２列の突出部列は、図３で示されている布板１０の幅方向の中心線Ｎ１に対して対称となった位置に設けられていることになる。
【００５０】
また、図３から分かるように、第１番目の突出部列を形成している突出部３１，３２の位置と、第２番目の突出部列を形成している突出部３３，３４の位置は、布板１０の長手方向にずれている。
【００５１】
特に、本実施形態では、これらの突出部３１〜３４は、布板１０の幅方向の中心線Ｎ１と布板１０の長手方向の中心線Ｎ２とが交差する布板１０の中央位置Ｎ３に対して点対称となった位置に設けられており、この点対称位置への配置により、第１番目の突出部列を形成している突出部３１，３２の位置と第２番目の突出部列を形成している突出部３３，３４の位置とを、布板１０の長手方向にずらせることが行われている。
【００５２】
次に、例えば、図１の仮設足場１を構築する作業現場に複数の布板１０を搬送するために、これらの布板１０を上下に積み重ねる作業について説明する。この積み重ねは、それぞれの布板１０の幅方向の中心線Ｎ１同士及び長手方向の中心線Ｎ２同士を一致又は略一致させて行われる。ここでいう「略一致」とは、多少のずれがあってもよいとの意味である。
【００５３】
図９は、４個の布板１０Ａ〜１０Ｄを積み重ねる場合を示している。最下段の布板１０Ａは、突出部３１〜３４を上向きとして図示しない積み重ね板等のパネル状部材の上に載せられ、この最下段の布板１０Ａの上に、下から２段目の布板１０Ｂが、突出部３１〜３４を下向きとして積み重ねられる。図９で示している実施形態におけるこの積み重ねは、最下段の布板１０Ａの長手方向の向きを、下から２段目の布板１０Ｂの長手方向の向きと逆にして行われているが、上述したように、突出部３１〜３４は、布板１０の幅方向の中心線Ｎ１と布板１０の長手方向の中心線Ｎ２とが交差する布板１０の中央位置Ｎ３に対して点対称となった位置に設けられているため、最下段の布板１０Ａの上に、下から２段目の布板１０Ｂを、この布板１０Ｂの突出部３１〜３４を下向きとして積み重ね際に、これらの布板１０Ａと１０Ｂの長手方向の向きを同じにしてもよい。
【００５４】
最下段の布板１０Ａの上に下から２段目の布板１０Ｂを積み重ねる作業を、最下段の布板１０Ａの長手方向の向きを、下から２段目の布板１０Ｂの長手方向の向きと逆にして行った場合には、最下段の布板１０Ａにおける突出部３１，３２による第１番目の突出部列と、下から２段目の布板１０Ｂにおける突出部３１，３２による第１番目の突出部列とが対向し、最下段の布板１０Ａにおける突出部３３，３４による第２番目の突出部列と、下から２段目の布板１０Ｂにおける突出部３３，３４による第２番目の突出部列とが対向することになり、最下段の布板１０Ａの上に下から２段目の布板１０Ｂを積み重ねる作業を、最下段の布板１０Ａの長手方向の向きと、下から２段目の布板１０Ｂの長手方向の向きとを同じにして行った場合には、最下段の布板１０Ａにおける突出部３１，３２による第１番目の突出部列と、下から２段目の布板１０Ｂにおける突出部３３，３４による第２番目の突出部列とが対向し、最下段の布板１０Ａにおける突出部３３，３４による第２番目の突出部列と、下から２段目の布板１０Ｂにおける突出部３１，３２による第１番目の突出部列とが対向することになる。
【００５５】
そして、それぞれの場合において、第１番目の突出部列を形成している突出部３１，３２の位置と、第２番目の突出部列を形成している突出部３３，３４の位置は、布板１０の長手方向にずれているため、最下段の布板１０Ａの突出部３１〜３４の位置と、２段目の布板１０Ｂの突出部３１〜３４の位置は、一致しないことになる。
【００５６】
このため、最下段の布板１０Ａの上に下から２段目の布板１０Ｂを、これらの布板１０Ａ，１０Ｂの溶接部３０の影響を受けることなく、かつこれらの布板１０Ａ，１０Ｂの突出部３１〜３４の影響を受けることなく、安定させて積み重ねことができる。
【００５７】
下から２段目の布板１０Ｂの上には、突出部３１〜３４を下向きとした下から３段目の布板１０Ｃが積み重ねられ、下から３段目の布板１０Ｃの上には、突出部３１〜３４を下向きとした下から３段目の布板１０Ｄが積み重ねられる。５個以上の布板１０を積み重ねる場合には、突出部３１〜３４を下向きとした布板１０を、以上のようにして順次積み重ねる。
【００５８】
このようにして下から２段目の布板１０Ｂの上に、突出部３１〜３４を下向きとした下から３段目以降のそれぞれの布板１０が積み重ねられた場合、それぞれの布板１０の突出部３１〜３４の水平方向における位置は、それぞれの布板１０の溶接部３０の水平方向における位置からずれているとともに、それぞれの布板１０の突出部３１〜３４の下方への突出量は、それぞれの布板１０の溶接部３０の上方への盛り上がり量よりも大きくなっているため、溶接部３０の影響を受けることなく、これらの布板１０を安定させて積み重ねることができる。
【００５９】
また、それぞれの布板１０を積み重ねるときには、フック部１２の構成部材となっている前述のロック部材２３は、フック部材２０に対して図７で示した位置に配置されており、この配置位置では、布板１０からのロック部材２３の下方への突出量は、布板１０からの突出部３１〜３４の下方への突出量よりも小さいため、複数の布板１０を上下に積み重ねたとき、ロック部材２３はこの積み重ねの邪魔にならない。
【００６０】
さらに、本実施形態によると、それぞれの布板１０には、これらの布板１０の長手方向と幅方向の両方について、突出部３１〜３４のうちの２個ずつが設けられているため、これらの突出部３１〜３４によってそれぞれの布板１０を一層安定させて積み重ねることができる。
【００６１】
また、本実施形態によると、突出部３１〜３４は、布板１０の構成部材となっている主部材１３，１４のチャンネル形状部１３Ｂ、１４Ｃの下面部１３Ｅ，１４Ｅを押し出し加工することによって形成されているため、布板１０に突出部３１〜３４を設けるために、突出部３１〜３４のための特別の部材を用意する必要がなく、したがって、布板１０を少ない部材点数によって安価に製造することができる。
【００６２】
さらに、突出部３１〜３４は、布板１０の幅方向の中心線Ｎ１と布板１０の長手方向の中心線Ｎ２とが交差する布板１０の中央位置Ｎ３に対して点対称となった位置に設けられているため、それぞれの突出部が形成されている主部材１３，１４の長手方向である左右の向きを逆にしても、それぞれの突出部の位置は変化しないことになる。
【００６３】
このため、突出部３１〜３４を上向きとした最下段の布板１０Ａの上に、突出部３１〜３４を下向きとした下から２段目の布板１０を積み重ねる際に、前述の説明から分かるように、この積み重ねを、最下段の布板１０Ａの長手方向の向きと下から２段目の布板１０Ｂの長手方向の向きとを同じにしても行なえることになり、また、逆にしても行なえることになり、これにより、これらの布板１０Ａと１０Ｂの長手方向の向きを気にせずに、これらの布板１０Ａと１０Ｂの積み重ね作業を行うことができるため、この積み重ね作業を容易に行えることになる。
【００６４】
また、突出部３１と３２が形成されている主部材１３と、突出部３３，３４が形成されている主部材１４とを、形状及び寸法を全く同じものにできることになり、このため、これらの主部材１３，１４の製造を容易に行える。
【００６５】
図１０は、別実施形態に係る布板１１０の裏面図である。前記実施形態の布板１０よりも幅寸法が小さいこの布板１１０では、前記実施形態の布板１０と異なり、２個の主部材１３，１４は用いられておらず、１個の主部材１１３が用いられて布板１１０が生産されている。そして、この主部材１１３に、前記実施形態の布板１０と同じく、４個の突出部１３１〜１３４が形成されており、布板１１０の下面に設けられているこれらの突出部１３１〜１３４の突出量は同じであるとともに、これらの突出部１３１〜１３４の突出量は、主部材１１３と端部部材１１５とを結合するために布板１１０の上面に設けられて溶接部の盛り上がり量よりも大きくなっている。
【００６６】
また、突出部１３１〜１３４の水平方向における位置は、溶接部の水平方向における位置からずれている。
【００６７】
さらに、布板１１０の幅方向の中心線Ｎ１に対するそれぞれの突出部１３１〜１３４の配置位置、及びこの中心線Ｎ１と布板１１０の長手方向の中心線Ｎ２とが交差する布板１１０の中央位置Ｎ３に対するそれぞれの突出部１３１〜１３４の配置位置は、前記実施形態の布板１０の場合と同じである。
【００６８】
この実施形態でも、突出部１３１〜１３４により、複数の布板１１０を安定させて積み重ねことができ、また、突出部１３１〜１３４が設けられている主部材１１３の長手方向である左右の向きを逆にしても、それぞれの突出部の位置は変化しないため、突出部１３１〜１３４を上向きとした最下段の布板１１０の上に、突出部１３１〜１３４を下向きとした下から２段目の布板１１０を積み重ねる際に、この積み重ねを、最下段の布板１１０の長手方向の向きと下から２段目の布板１１０の長手方向の向きとを同じにしても行なえることになり、また、逆にしても行なえることになる。
【産業上の利用可能性】
【００６９】
本発明は、例えば、建築作業現場等の各種作業現場で用いられる仮設足場用布板を上下に積み重ねるために利用することができる。
【図面の簡単な説明】
【００７０】
【図１】図１は、本発明の一実施形態に係る仮設足場用布板が用いられて構築された仮設足場を示す全体斜視図である。
【図２】図２は、仮設足場用布板の平面図である。
【図３】図３は、仮設足場用布板の裏面図である。
【図４】図４は、仮設足場用布板の一部省略の正面図である。
【図５】図５は、フック部材とロック部材を含んで構成される仮設足場用布板のフック部を、仮設足場を構成している建枠の水平材に引っ掛けるために、仮設足場用布板を水平材の上から落とし込むときのロック部材の位置を示している図である。
【図６】図６は、仮設足場用布板を水平材の上から落とし込み、仮設足場用布板のフック部を建枠の水平材に引っ掛けたときのロック部材の位置を示している図である。
【図７】図７は、多数の仮設足場用布板を上下に積み重ねされるときにおけるロック部材の位置を示している図である。
【図８】図８は、図２のＳ８−Ｓ８線断面図である。
【図９】図９は、仮設足場用布板を上下に複数積み重ねる場合を示す図である。
【図１０】図１０は、別実施形態に係る仮設足場用布板の裏面図である。
【符号の説明】
【００７１】
１  仮設足場
１０，１１０  仮設足場用布板
１１  本体部
１２  フック部
１３，１４，１１３  仮設足場用布板構成部材である主部材
３０  溶接部
３１〜３４，１３１〜１３４  突出部
Ｎ１  仮設足場用布板幅方向の中心線
Ｎ２  仮設足場用布板長手方向の中心線
Ｎ３  仮設足場用布板の中央位置
【図１】
2008308862.tif 000003
【図２】
2008308862.tif 000004
【図３】
2008308862.tif 000005
【図４】
2008308862.tif 000006
【図５】
2008308862.tif 000007
【図６】
2008308862.tif 000008
【図７】
2008308862.tif 000009
【図８】
2008308862.tif 000010
【図９】
2008308862.tif 000011
【図１０】
2008308862.tif 000012